【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
開状態と閉状態を採り得る可変入賞口と、
識別情報を表示可能な識別情報表示部と、
遊技の進行を制御する主遊技部と、
演出を表示可能な演出表示部と、
音声を出力可能な音声出力部と、
演出表示部への演出表示及び音声出力部への音声出力を制御する副遊技部と
を備え、
主遊技部は、
始動口への入球に基づき、乱数を取得する乱数取得手段と、
前記乱数に基づき当否判定を実行し、当該当否判定の結果に基づき識別情報の停止表示態様と識別情報の変動表示態様とを決定する遊技内容決定手段と、
遊技内容決定手段による決定に従い、識別情報表示部にて識別情報を変動表示させた後に識別情報を停止表示させるよう制御する識別情報表示制御手段と、
前記乱数に基づく当否判定の結果が当選であって識別情報が停止表示された後において、可変入賞口を遊技者にとって有利な状態とし得る特別遊技を実行可能な特別遊技制御手段と、
副遊技部側での制御に際して必要な遊技情報を副遊技部側へ送信する遊技情報送信手段と
を備え、
副遊技部は、
主遊技部側から送信された遊技情報を受信する遊技情報受信手段と、
遊技情報受信手段により受信された遊技情報に基づき、演出表示部にて表示する演出表示内容及び音声出力部にて出力する音声出力内容を制御する演出出力内容制御手段と、
演出用図柄を演出表示部にて変動表示させた後で、演出用図柄の最終表示態様を演出表示部にて表示させるよう制御する演出用図柄表示制御手段と
を備え、
識別情報の変動表示開始から停止表示までの期間内を一演出期間内とし、
或る一演出期間内において変動表示される演出用図柄について、当該或る一演出期間内において最終表示態様が表示されるよりも前にて暫定表示態様が表示され得ると共に、当該暫定表示態様が表示される場合には当該或る一演出期間内において再び変動表示される再変動を実行可能であり、
演出出力形式を複数種類有し、前記演出表示内容を表示するに際しては、設定されている演出出力形式に対応した演出表示内容を表示可能に構成されており、
前記複数種類の演出出力形式のうちの何れの演出出力形式が設定されているかに応じて、音声出力部から出力される演出出力形式に対応した音声の種類が異なり得るよう構成されており、
前記複数種類の演出出力形式のうちの所定の演出出力形式が設定されている場合であり、前記再変動が行われず且つ識別情報の変動表示時間が所定時間以下の特定変動パターンに対応する一演出期間において、当該一演出期間の開始時にて出力される演出出力形式に対応した音声は、前記所定の演出出力形式が設定されている場合での次回の一演出期間内においても途切れることなく出力され得る一方で、
前記所定の演出出力形式が設定されている場合であり、前記再変動が行われ且つその後のリーチ状態が形成された後に発展演出が表示される特殊変動パターンに対応する一演出期間において、当該一演出期間の開始時にて出力される演出出力形式に対応した音声は、当該一演出期間内において演出用図柄の暫定表示態様が表示されるときには出力されないよう構成されており、
前記所定の演出出力形式が設定されている場合であり、前記特殊変動パターンに対応する一演出期間において、当該一演出期間の開始時にて出力される演出出力形式に対応した音声は、前記発展演出が表示されるときにも出力されない一方で、前記発展演出が表示されるときには前記発展演出に対応した音声を出力するよう構成されており、
前記所定の演出出力形式が設定されている場合であり、当否判定の結果が非当選である前記特殊変動パターンに対応する一演出期間において、前記発展演出が表示されたうえで演出用図柄の最終表示態様が表示されるときには、当該一演出期間の開始時にて出力される演出出力形式に対応した音声も前記発展演出に対応した音声も出力しない一方で、当該一演出期間の次の一演出期間が開始することを契機として演出出力形式に対応した音声を最初から出力するよう構成されており、
或る一演出期間内における前記再変動の実行後に更なる前記再変動が実行されない場合の方が、或る一演出期間内における前記再変動の実行後に更なる再変動が実行される場合よりも、その後のリーチ状態にて実行可能な演出候補数が多いよう構成される
ことを特徴とするぱちんこ遊技機。
【手続補正２】
【補正対象書類名】明細書
【補正対象項目名】０００６
【補正方法】変更
【補正の内容】
【０００６】
本態様に係るぱちんこ遊技機は、
遊技球が入球可能な始動口と、
開状態と閉状態を採り得る可変入賞口と、
識別情報を表示可能な識別情報表示部と、
遊技の進行を制御する主遊技部と、
演出を表示可能な演出表示部と、
音声を出力可能な音声出力部と、
演出表示部への演出表示及び音声出力部への音声出力を制御する副遊技部と
を備え、
主遊技部は、
始動口への入球に基づき、乱数を取得する乱数取得手段と、
前記乱数に基づき当否判定を実行し、当該当否判定の結果に基づき識別情報の停止表示態様と識別情報の変動表示態様とを決定する遊技内容決定手段と、
遊技内容決定手段による決定に従い、識別情報表示部にて識別情報を変動表示させた後に識別情報を停止表示させるよう制御する識別情報表示制御手段と、
前記乱数に基づく当否判定の結果が当選であって識別情報が停止表示された後において、可変入賞口を遊技者にとって有利な状態とし得る特別遊技を実行可能な特別遊技制御手段と、
副遊技部側での制御に際して必要な遊技情報を副遊技部側へ送信する遊技情報送信手段と
を備え、
副遊技部は、
主遊技部側から送信された遊技情報を受信する遊技情報受信手段と、
遊技情報受信手段により受信された遊技情報に基づき、演出表示部にて表示する演出表示内容及び音声出力部にて出力する音声出力内容を制御する演出出力内容制御手段と、
演出用図柄を演出表示部にて変動表示させた後で、演出用図柄の最終表示態様を演出表示部にて表示させるよう制御する演出用図柄表示制御手段と
を備え、
識別情報の変動表示開始から停止表示までの期間内を一演出期間内とし、
或る一演出期間内において変動表示される演出用図柄について、当該或る一演出期間内において最終表示態様が表示されるよりも前にて暫定表示態様が表示され得ると共に、当該暫定表示態様が表示される場合には当該或る一演出期間内において再び変動表示される再変動を実行可能であり、
演出出力形式を複数種類有し、前記演出表示内容を表示するに際しては、設定されている演出出力形式に対応した演出表示内容を表示可能に構成されており、
前記複数種類の演出出力形式のうちの何れの演出出力形式が設定されているかに応じて、音声出力部から出力される演出出力形式に対応した音声の種類が異なり得るよう構成されており、
前記複数種類の演出出力形式のうちの所定の演出出力形式が設定されている場合であり、前記再変動が行われず且つ識別情報の変動表示時間が所定時間以下の特定変動パターンに対応する一演出期間において、当該一演出期間の開始時にて出力される演出出力形式に対応した音声は、前記所定の演出出力形式が設定されている場合での次回の一演出期間内においても途切れることなく出力され得る一方で、
前記所定の演出出力形式が設定されている場合であり、前記再変動が行われ且つその後のリーチ状態が形成された後に発展演出が表示される特殊変動パターンに対応する一演出期間において、当該一演出期間の開始時にて出力される演出出力形式に対応した音声は、当該一演出期間内において演出用図柄の暫定表示態様が表示されるときには出力されないよう構成されており、
前記所定の演出出力形式が設定されている場合であり、前記特殊変動パターンに対応する一演出期間において、当該一演出期間の開始時にて出力される演出出力形式に対応した音声は、前記発展演出が表示されるときにも出力されない一方で、前記発展演出が表示されるときには前記発展演出に対応した音声を出力するよう構成されており、
前記所定の演出出力形式が設定されている場合であり、当否判定の結果が非当選である前記特殊変動パターンに対応する一演出期間において、前記発展演出が表示されたうえで演出用図柄の最終表示態様が表示されるときには、当該一演出期間の開始時にて出力される演出出力形式に対応した音声も前記発展演出に対応した音声も出力しない一方で、当該一演出期間の次の一演出期間が開始することを契機として演出出力形式に対応した音声を最初から出力するよう構成されており、
或る一演出期間内における前記再変動の実行後に更なる前記再変動が実行されない場合の方が、或る一演出期間内における前記再変動の実行後に更なる再変動が実行される場合よりも、その後のリーチ状態にて実行可能な演出候補数が多いよう構成される
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は
遊技球が入球可能な始動口と、
主遊技用識別情報を変動表示及び停止表示可能な主遊技用識別情報表示部と、
副遊技用識別情報を変動表示及び停止表示可能な演出表示部と、
遊技の進行を制御する主遊技部と、
演出表示部への演出表示を制御する副遊技部と
を備え、
主遊技部は、
始動口への遊技球の入球に基づき、乱数を取得する乱数取得手段と、
前記乱数に基づき、当否判定を行う当否判定実行手段と、
前記当否判定の結果に基づき、主遊技用識別情報を主遊技用識別情報表示部上にて変動表示した後で停止表示するよう制御する主遊技用識別情報表示制御手段と、
前記当否判定の結果が当選であった場合、遊技者にとって有利な特別遊技へ移行し得る特別遊技実行手段と
を備え、
副遊技部は、
主遊技用識別情報が主遊技用識別情報表示部上にて変動表示されている期間内において、副遊技用識別情報を演出表示部上にて変動表示開始した後から確定的に停止表示するまでを本変動とし、本変動内において副遊技用識別情報を変動表示した後で暫定的に停止表示する再変動を一又は複数回実行可能な副遊技用識別情報表示制御手段と、
再変動の実行中にて特別遊技への移行期待度を表す予告演出を演出表示部にて表示し得る手段であって、予告演出を表示するに際して、複数の予告演出グループの中の或る予告演出グループに属するいずれかの予告演出を表示する予告演出表示制御手段と
を備え、
前記複数の予告演出グループは、少なくとも第１の予告演出グループを含み、
本変動内における或る再変動の実行中において、第１の予告演出グループに属する予告演出が表示された場合であって、当該或る再変動における暫定的な停止表示後の変動表示において予告演出が表示される場合には、第１の予告演出グループに属する予告演出が再度表示されるか又は第１の予告演出グループとは異なる予告演出グループに属する予告演出が表示されるかのいずれかとなり得るよう構成されており、
第１の予告演出グループに属する予告演出が表示された場合における表示内容と、第１の予告演出グループとは異なる予告演出グループに属する予告演出が表示された場合における表示内容とが異なるよう構成されており、
再変動が実行される際にて副遊技用識別情報が暫定的に停止表示される場合には、通常の副遊技用識別情報とは異なる特定の副遊技用識別情報が暫定的に停止表示され得るよう構成されており、
本変動内においては特定の副遊技用識別情報が暫定的に停止表示されるか否かを示唆する特殊予告演出を表示可能に構成されており、
特殊予告演出として、少なくとも第１特殊予告演出と第２特殊予告演出とを有し、第１特殊予告演出が表示された場合には当該第１特殊予告演出が表示された後において特定の副遊技用識別情報が暫定的に停止表示されることが確定的とはならない一方で、第２特殊予告演出が表示された場合には当該第２特殊予告演出が表示された後において特定の副遊技用識別情報が暫定的に停止表示されることが確定的となるよう構成されており、
本変動内における或る再変動の実行中において、第１の予告演出グループに属する予告演出が表示された場合であって、当該或る再変動における暫定的な停止表示後の変動表示において予告演出が表示される場合には、特別遊技への移行期待度に応じて、第１の予告演出グループに属する予告演出が再度表示されるか又は第１の予告演出グループとは異なる予告演出グループに属する予告演出が表示されるかのいずれとなるかの確率が異なるよう構成されており、
第１の予告演出グループに属する複数種類の予告演出は、その種類に応じて特別遊技への移行期待度が異なり、或る再変動の実行中において、第１の予告演出グループに属する或る種類の予告演出が表示された場合であって、当該或る再変動における暫定的な停止表示後の変動表示において第１の予告演出グループに属する予告演出が再度表示されるときには、当該或る種類の予告演出よりも特別遊技への移行期待度が高い種類の第１の予告演出グループに属する予告演出が表示される特定予告パターンを実行可能とする一方、当該或る種類の予告演出よりも特別遊技への移行期待度が低い種類の第１の予告演出グループに属する予告演出が表示されないよう構成されており、
再変動が実行される場合において、再変動の実行後においてリーチ状態が形成される第一演出パターンと、再変動の実行後においてリーチ状態が形成されない第二演出パターンとのいずれかを採るよう構成されており、第一演出パターンを採る場合よりも第二演出パターンを採る場合の方が、相対的に前記特定予告パターンの実行される確率が低くなるよう構成されており、
本変動内における或る再変動の実行中において、第１の予告演出グループに属する特別遊技の移行が確定的でない複数種類の予告演出のうち特別遊技への移行期待度が最も高い種類の予告演出が表示された場合であっても、当該或る再変動における暫定的な停止表示後の変動表示において、第１の予告演出グループとは異なる予告演出グループに属する特別遊技への移行期待度が最も高いものでなく且つ特別遊技への移行が確定的とならない種類の予告演出が表示され得るよう構成されており、
本変動内において複数回の再変動が実行される場合において、先の実行回における再変動の実行中よりも後の実行回における再変動の実行中の方が、第１の予告演出グループに属する複数種類の予告演出のうち特別遊技への移行が確定的となる種類の予告演出が表示され易くなるよう構成されている
ことを特徴とするぱちんこ遊技機である。
さらに、
ある本変動内において、第１の予告演出グループに属する複数種類の予告演出のうち特別遊技への移行が確定的となる種類の予告演出が表示された場合、その後の当該ある本変動内において、当該特別遊技への移行が確定的となる種類の予告演出が表示されたことを示す特別演出が継続して表示されるよう構成されている
といった構成を備えてもよい。